(57)【要約】【課題】商品の配送に基づく情報の訴求効果を向上させること。【解決手段】本願に係る配信装置は、配送品を配送する配送業者から、当該配送品の配送に関する配送情報と、配送先を識別するための識別情報とを取得する取得部と、前記取得部により取得された配送情報に基づいて、前記配送先に対して提供する情報を選択する選択部と、前記選択部により選択された情報と、前記配送情報とを前記識別情報が識別する配送先に配信する配信部とを有することを特徴とする。【選択図】図１
2018195207.tif 000002
【特許請求の範囲】
【請求項１】
配送品を配送する配送業者から、当該配送品の配送に関する配送情報と、配送先を識別するための識別情報とを取得する取得部と、
前記取得部により取得された配送情報に基づいて、前記配送先に対して提供する情報を選択する選択部と、
前記選択部により選択された情報と、前記配送情報とを前記識別情報が識別する配送先に配信する配信部と
を有することを特徴とする配信装置。
【請求項２】
前記配送業者以外の者が保持する情報であって、前記識別情報と当該識別情報が識別する配送先が使用する端末装置とを対応付けた対応情報を参照し、前記取得部よって取得された識別情報に対応付けられた端末装置を特定する特定部
を有し、
前記配信部は、前記特定部により特定された端末装置に対して、前記選択部により選択された情報と、前記配送情報とを配信する
ことを特徴とする請求項１に記載の配信装置。
【請求項３】
前記取得部は、前記識別情報として、前記配送先が使用する端末装置の電話番号であって、前記配送先が前記配送品を発注した際に発送元に通知した電話番号を取得する
ことを特徴とする請求項１または２に記載の配信装置。
【請求項４】
前記配信部は、前記選択部により選択された情報と、前記配送情報と、当該配送情報の変更を受付けるためのコンテンツを示す情報とを配信する
ことを特徴とする請求項１〜３のうちいずれか１つに記載の配信装置。
【請求項５】
前記選択部は、同一の識別情報と共に前記取得部が取得した配送情報の履歴に基づいて、当該識別情報が示す配送先に対して提供する情報を選択する
ことを特徴とする請求項１〜４のうちいずれか１つに記載の配信装置。
【請求項６】
前記取得部は、前記配送品の配送元に関する配送元情報を含む配送情報を取得し、
前記選択部は、前記配送情報に含まれる配送元情報に基づいて、前記配送先に対して提供する情報を選択する
ことを特徴とする請求項１〜５のうちいずれか１つに記載の配信装置。
【請求項７】
前記選択部は、前記識別情報が識別する配信先に対して配送が行われた回数に応じて、当該識別情報が示す配送先に対して提供する情報を選択する
ことを特徴とする請求項１〜６のうちいずれか１つに記載の配信装置。
【請求項８】
前記取得部は、前記配送品の配達日時を示す日時情報を含む配送情報を取得し、
前記選択部は、前記配送情報に含まれる日時情報に基づいて、前記配送先に対して提供する情報を選択する
ことを特徴とする請求項１〜７のうちいずれか１つに記載の配信装置。
【請求項９】
前記取得部は、前記配送品の大きさを示すサイズ情報を含む配送情報を取得し、
前記選択部は、前記配送情報に含まれるサイズ情報に基づいて、前記配送先に対して提供する情報を選択する
ことを特徴とする請求項１〜８のうちいずれか１つに記載の配信装置。
【請求項１０】
前記取得部は、前記配送品の配送元または配送先の地域を示す地域情報を取得し、
前記選択部は、前記配送情報に含まれる地域情報に基づいて、前記配送先に対して提供する情報を選択する
ことを特徴とする請求項１〜９のうちいずれか１つに記載の配信装置。
【請求項１１】
前記取得部は、前記配送業者、または、前記配送品を発送した発送者から、当該配送品の品目を示す品目情報を取得し、
前記選択部は、前記品目情報に基づいて、前記配送先に対して提供する情報を選択する
ことを特徴とする請求項１〜１０のうちいずれか１つに記載の配信装置。
【請求項１２】
同じ配送先に対して配送される複数の荷物の配達日時が同じ日時に設定されたされた場合は、前記選択部により選択された情報の配信に対する報酬を原資として、前記配送先に対する所定の報酬を設定する報酬設定部
ことを特徴とする請求項１〜１１のうちいずれか１つに記載の配信装置。
【請求項１３】
配信装置が実行する配信方法であって、
配送品を配送する配送業者から、当該配送品の配送に関する配送情報と、配送先を識別するための識別情報とを取得する取得工程と、
前記取得工程により取得された配送情報に基づいて、前記配送先に対して提供する情報を選択する選択工程と、
前記選択工程により選択された情報と、前記配送情報とを前記識別情報が識別する配送先に配信する配信工程と
を含むことを特徴とする配信方法。
【請求項１４】
配送品を配送する配送業者から、当該配送品の配送に関する配送情報と、配送先を識別するための識別情報とを取得する取得手順と、
前記取得手順により取得された配送情報に基づいて、前記配送先に対して提供する情報を選択する選択手順と、
前記選択手順により選択された情報と、前記配送情報とを前記識別情報が識別する配送先に配信する配信手順と
をコンピュータに実行させるための配信プログラム。
【発明の詳細な説明】
【技術分野】
【０００１】
本発明は、配信装置、配信方法および配信プログラムに関する。
【背景技術】
【０００２】
従来、電子商店街やオークションサイト等、ネットワークを介して商品を販売する電子商取引が知られている。このような電子商取引では、商品の購入または落札が行われた場合には、商品を出品した出品者からの依頼を受けた配送業者が、商品を購入又は落札した利用者に対して商品を配送する。このような商品の配送において、商品の宛先住所に関連する広告等の特定情報を選択し、選択した特定情報を配送伝票に掲載する技術が知られている。
【先行技術文献】
【特許文献】
【０００３】
【特許文献１】特開２０１４−０９７５７６号公報
【発明の概要】
【発明が解決しようとする課題】
【０００４】
しかしながら、上述した技術では、特定情報等、商品の配送に基づく情報の訴求効果が必ずしも高いとは言えない場合がある。例えば、上述した技術では、特定情報を配送伝票に掲載するものの、配送された商品に付された配送伝票を配送先となる利用者が意識的に閲覧する可能性は、あまり高いとは言えない。
【０００５】
本願は、上記に鑑みてなされたものであって、商品の配送に基づく情報の訴求効果を向上させることを目的する。
【課題を解決するための手段】
【０００６】
本願に係る配信装置は、配送品を配送する配送業者から、当該配送品の配送に関する配送情報と、配送先を識別するための識別情報とを取得する取得部と、前記取得部により取得された配送情報に基づいて、前記配送先に対して提供する情報を選択する選択部と、前記選択部により選択された情報と、前記配送情報とを前記識別情報が識別する配送先に配信する配信部とを有することを特徴とする。
【発明の効果】
【０００７】
実施形態の一態様によれば、商品の配送に基づく情報の訴求効果を向上させることができる。
【図面の簡単な説明】
【０００８】
【図１】図１は、実施形態に係る情報提供装置の一例を示す図である。
【図２】図２は、実施形態に係る情報提供装置の構成例を示す図である。
【図３】図３は、実施形態に係る電話番号情報データベースの一例を示す図である。
【図４】図４は、実施形態に係る配送情報データベースの一例を示す図である。
【図５】図５は、実施形態に係る広告データベースの一例を示す図である。
【図６】図６は、実施形態に係る配信処理の流れの一例を示すフローチャートである。
【図７】図７は、ハードウェア構成の一例を示す図である。
【発明を実施するための形態】
【０００９】
以下に、本願に係る配信装置、配信方法および配信プログラムを実施するための形態（以下、「実施形態」と呼ぶ。）について図面を参照しつつ詳細に説明する。なお、この実施形態により本願に係る配信装置、配信方法および配信プログラムが限定されるものではない。また、以下の各実施形態において同一の部位には同一の符号を付し、重複する説明は省略される。
【００１０】
〔１．情報提供装置の一例〕
まず、図１を用いて、実施形態に係る情報提供装置１０の一例について説明する。図１は、実施形態に係る情報提供装置の一例を示す図である。図１では、配信装置の一例である情報提供装置１０によって、配送品の配送に関する情報である配送情報を所定の対象に通知する通知処理について説明するとともに、情報提供装置１０が選択した広告を配信する配信処理の一例について説明する。
【００１１】
ここで、広告とは、営利若しくは非営利の広告だけではなく、ボランティアの募集、公共広告、公共に対する通知、各種コンテンツに関する情報の一部、その他任意のコンテンツであるものとする。すなわち、広告とは、利用者に興味を抱かせ、所定の情報を広く報知するものであれば、画像、動画像、文字、図形、記号、ハイパーリンク、その他任意のコンテンツを適用可能である。すなわち、利用者に対して興味を生じさせようとするコンテンツであれば、任意のコンテンツを広告として適用可能である。
【００１２】
図１に示す情報提供装置１０は、通知処理および配信処理を行う情報処理装置であり、例えば、サーバ装置やクラウドシステム等により実現される。なお、情報提供装置１０は、通知処理を実行する通知サーバ、および、配信処理を実行する配信サーバが協調して動作することにより、実現されてもよい。例えば、情報提供装置１０は、電子商店街において取引の対象となった商品の配送を行う配送業者ＤＣから、商品の配送に関する配送情報を取得する。このような場合、情報提供装置１０は、配送情報から商品の配送先となる利用者Ｕを特定し、商品が配送先に配送される配達日時等の通知を特定した利用者Ｕに対して通知する。
【００１３】
利用者端末１００は、利用者Ｕにより利用されるＰＣ（Personal  Computer）やスマートフォン等の情報処理端末である。なお、図１での図示は省略しているが、実施形態に係る利用者端末１００は１台に限らず、複数台存在していてもよい。すなわち、利用者Ｕは、複数台の利用者端末１００を所持していてもよい。なお、以下では、利用者を利用者端末１００と読み替える場合がある。例えば、「利用者Ｕが販売業者サーバ２００にアクセスする」という記載は、実際には、「利用者Ｕが利用する利用者端末１００が販売業者サーバ２００にアクセスする」という状況を示す場合がある。
【００１４】
図１に示す販売業者サーバ２００は、電子商取引に関する所定のサービスを利用者に提供する情報処理装置であり、例えば、サーバ装置やクラウドシステム等により実現される。例えば、販売業者サーバ２００は、Ｅコマースサイトやインターネットオークション、フリーマーケット等のウェブサービスを提供するウェブサーバであり、各種電子商取引を介して商品を販売する販売業者により利用される。図１の例では、販売業者サーバ２００は、各々が異なる事業者によって管理される複数のサーバ装置により実現され、各々が異なるＥコマースサイトを利用者に提供しているものとする。以下では、販売業者サーバ２００を実現する複数のサーバ装置を「販売業者サーバ２００」と総称する。なお、販売業者サーバ２００の数は、任意の数が採用可能である。また、１つの販売業者が複数のサーバ装置を用いて電子商取引に関する所定のサービスを提供してもよい。
【００１５】
配送業者サーバ３００は、配送業者によって利用される情報処理装置であり、例えば、サーバ装置やクラウドシステム等により実現される。図１の例では、配送業者サーバ３００は、配送業者ＤＣによって利用される。なお、配送業者サーバ３００は、複数の情報処理装置により実現されてもよい。
【００１６】
例えば、配送業者サーバ３００は、販売業者サーバ２００から配送の依頼を受け付けた場合に、配送先の宛名や、住所や、氏名や、電話番号や、配送品の内容等を販売業者サーバ２００から取得する。そして、配送業者サーバ３００は、配送品が配送先に届けられる予定の日時である配達日時や配送先等が登録された情報である配送情報を生成する。そして、配送業者ＤＣは、配送業者サーバ３００によって生成された配送情報に基づいて、配送先への配送を行う。
【００１７】
なお、図１での図示は省略しているが、配送業者ＤＣは複数存在してもよい。すなわち、販売業者サーバ２００は、複数の配送業者ＤＣのいずれかを選択して商品の発送を依頼してもよい。なお、以下では、配送業者を配送業者サーバ３００と読み替える場合がある。例えば、「配送業者ＤＣが情報を送信する」という記載は、実際には、「配送業者ＤＣが利用する配送業者サーバ３００が情報を送信する」という状況を示す場合がある。
【００１８】
〔１−１．通知処理の一例〕
上述した情報提供装置１０は、配送業者サーバ３００から、配送情報及び配送先を識別するための識別情報を取得する。また、情報提供装置１０は、取得した識別情報と所定の対象とを対応付けるための情報である対応付け情報を参照する。そして、情報提供装置１０は、取得した識別情報に対応する対象を特定し、特定された対象に、取得された配送情報を通知する。
【００１９】
なお、対応付け情報は、配送業者ＤＣが有しない情報であってもよい。また、図１の例では、情報提供装置１０は、識別情報として利用者Ｕの電話番号（すなわち、利用者端末１００の電話番号）を利用する。これにより、情報提供装置１０は、利用者Ｕが利用したサービスに関わらず、また、配送品を配送する配送業者に関わらず、利用者Ｕに対して配送に関する情報を通知することができる。
【００２０】
以下、図１を用いて、情報提供装置１０が実行する通知処理の一例について説明する。まず、利用者Ｕは、利用者端末１００を介して、販売業者サーバ２００から提供される電子商取引に関する各種サービスの提供を受ける。ここで、利用者Ｕが販売業者サーバ２００から提供されるサービスを利用し、当該サービスにおいて商品を購入、注文、若しくは落札等したものとする。この場合、利用者Ｕは、販売業者サーバ２００に対して、利用者端末１００の電話番号を含む注文情報を送信する（ステップＳ１）。
【００２１】
例えば、注文情報とは、利用者Ｕがサービスにおいて商品を購入した際に販売業者サーバ２００に送信する情報であり、例えば、商品の配送先となる利用者Ｕを特定するための情報を含む。具体的には、注文情報は、利用者Ｕの住所、利用者Ｕの氏名、利用者Ｕの電話番号（すなわち、利用者端末１００の電話番号）、注文品を特定するための情報（例えば、注文品の名称や個数等）等を含む。なお、注文情報は、商品の配送日時に関する指定や、商品の配送先の指定に関する情報等を含んでもよい。
【００２２】
販売業者サーバ２００は、利用者Ｕから商品の購入要求を受け付けた際に、利用者Ｕから注文情報を取得する。そして、販売業者サーバ２００は、注文情報に基づいて、配送業者ＤＣに商品の発送を依頼するための配送依頼情報を注文対象となる商品ごと、すなわち、配送品ごとに生成し、生成した配送依頼情報を配送業者ＤＣに通知する（ステップＳ２）。具体的には、販売業者サーバ２００は、注文情報に含まれる配送先情報、配送元の住所や店舗名等といった配送元情報、利用者Ｕが商品を購入した際に設定した配達日時、利用者Ｕが入力した電話番号や利用者Ｕが商品を購入した際に用いた利用者端末１００の識別番号等といった識別情報を含む配送依頼情報を生成する。
【００２３】
なお、販売業者サーバ２００は、利用者Ｕが購入した商品の品目を示す情報を含む配送依頼情報を生成してもよい。また、販売業者サーバ２００は、配送品が冷蔵または冷凍が必要な配送品であるか、配送品が割れ物であるか否か、配送品が美術品であるか否かといった配送品の種別を示す情報を含む配送依頼情報を生成してもよい。また、販売業者サーバ２００は、配送品のサイズ、速達であるか通常の配送であるかといった配送に関する情報を含む配送依頼情報を生成してもよい。すなわち、販売業者サーバ２００は、配送業者ＤＣが適切な配送を行うために必要な情報であって、注文情報に基づいて生成可能な情報であれば、任意の情報を含む配送依頼情報を生成すればよい。
【００２４】
配送業者ＤＣは、受信した配送依頼情報に基づいて、集荷を行うとともに、配送品に対して配送番号等といった配送品を識別するための配送情報ＩＤ（Identifier）を付与する。そして、配送業者ＤＣは、配送先情報が示す配送先に、配達日時が示す日時に到着するように集荷した配送品の配送を行うこととなる。 
【００２５】
一方、配送業者サーバ３００は、発送の依頼を受け付けた場合、依頼された内容に基づいて、配送に関する情報である配送情報を生成する。ここで、配送情報とは、配送に関する種々の情報を含むものであり、例えば、配送先の住所や氏名や電話番号、配送品の内容、配送予定の日時である配達日時、配送を依頼した依頼先の名称（例えば、販売業者サーバ２００が提供するサービスに対応するサイト名）等を含む。また、配送情報は、配送業者サーバ３００が発行する識別番号であって、配送ごとに生成される識別番号（一般に、追跡番号等と称される）を含んでもよい。このような配送情報は、配送対象となる商品に付与される伝票等に付され、商品の配送に用いられる。
【００２６】
ここで、情報提供装置１０は、配送業者サーバ３００から配送先の電話番号を含む配送情報を取得する（ステップＳ３）。このような場合、情報提供装置１０は、配送情報から特定される利用者に対して配達日時を通知する（ステップＳ４）。
【００２７】
例えば、情報提供装置１０は、識別情報と対象とを対応付けるための対応付け情報の一例であり、電話番号と、各利用者とを対応付けた電話番号情報を参照する。より具体的には、情報提供装置１０は、通信事業者（所謂「通信キャリア」）から予め電話番号情報を取得し、取得した電話番号情報を参照することにより、配送業者サーバ３００から取得した電話番号に対応付けられた利用者である利用者Ｕを特定する。
【００２８】
より具体的には、情報提供装置１０は、利用者Ｕが所有する端末装置であって、通信事業者から発行された電話番号が割り当てられている端末装置である利用者端末１００を特定する。なお、情報提供装置１０は、通信事業者が保持する電話番号情報を参照する権限を有している場合には、自装置に電話番号情報を保持しなくてもよい。この場合、情報提供装置１０は、適宜、通信事業者が保持するサーバ装置にアクセスし、電話番号情報を参照してもよい。
【００２９】
続いて、情報提供装置１０は、特定した利用者端末１００に通知するメッセージを生成する。例えば、情報提供装置１０は、配送情報に基づいて、利用者Ｕ宛の配送品が届く日時や、配送品の発送元の名称等を含むメッセージや、配達日時もしくは配送先等、配送情報の変更を受付けるためのメッセージを生成する。情報提供装置１０は、生成したメッセージを、特定した利用者端末１００に送信する。例えば、情報提供装置１０は、通信事業者が提供するサービスであるＳＭＳ（Short  Message  Service）を利用して、利用者端末１００にメッセージを通知する。
【００３０】
このような場合、利用者端末１００は、表示画面にメッセージを表示する。例えば、図１中（Ａ）に示すように、利用者端末１００は、「Ａからの荷物が発送されました。配送予定は、５月５日です。」といったメッセージＭ１を表示する。また、利用者端末１００は、配達日時の変更を受付けるためのメッセージＭ２、および、配送先の変更を受付けるためのメッセージＭ３を表示する。
【００３１】
〔１−２．配信処理の一例〕
ここで、広告配信においては、利用者Ｕが購入した商品に対応した広告を配信したいというニーズが存在する。しかしながら、広告の配信元が提供するサービスと利用者Ｕが商品を購入したサービスとが異なるサービスである場合、利用者Ｕが購入した商品の情報を取得するのは、困難である。
【００３２】
そこで、情報提供装置１０は、以下の配信処理を実行する。まず、情報提供装置１０は、配送品を配送する配送業者から、配送品の配送に関する配送情報と、配送先を識別するための識別情報とを取得する。また、情報提供装置１０は、取得された配送情報に基づいて、配送先に対して提供する情報を選択する。そして、情報提供装置１０は、選択された情報と、配送情報とを識別情報が識別する利用者に対して提供する。
【００３３】
より具体的には、情報提供装置１０は、配送業者ＤＣ以外の者が保持する情報であって、識別情報と識別情報が識別する配送先が使用する利用者端末１００とを対応付けた対応情報を参照し、取得された識別情報に対応付けられた利用者端末１００を特定する。そして、情報提供装置１０は、特定された利用者端末１００に対して、選択された情報と、配送情報とを配信する。
【００３４】
すなわち、情報提供装置１０は、配送業者ＤＣが販売業者サーバ２００から取得した配送情報を取得する。このような場合、情報提供装置１０は、配送業者ＤＣを介して取得した配送情報に基づいて、上述した通知処理を実行するとともに、取得した配送情報に基づいて、利用者Ｕに配信する広告を選択し、選択した広告を利用者Ｕに対して提供する。より具体的には、情報提供装置１０は、上述した通知処理によって通知される配送情報と、配送情報の変更を受付けるためのコンテンツを示す情報とともに、選択した広告を提供する。
【００３５】
例えば、情報提供装置１０は、配送先の住所のみならず、配送元の住所、配送元となる電子商店街の店舗名や電子商店街の名称、配送品の種別や品目等に応じて、利用者Ｕに対して提供する広告を選択する（ステップＳ５）。より具体的な例を挙げると、情報提供装置１０は、利用者Ｕが第１の電子商店街に属する第１の店舗で机を購入している旨を配信情報が示す場合は、第２の電子商店街に属する第２の店舗に関する広告であって、椅子の購入を提案する広告ＡＤ１を選択する。そして、情報提供装置１０は、第１の電子商店街に属する第１の店舗から発送された机の配達日時等を示すメッセージＭ１〜Ｍ３と共に、ＳＭＳ等を介して選択した広告ＡＤ１を利用者端末１００に配信する（ステップＳ６）。
【００３６】
このような場合、利用者端末１００は、メッセージＭ１〜Ｍ３を表示するとともに、自受信した広告ＡＤ１を表示する。例えば、図１中（Ａ）に示すように、利用者端末１００は、「おしゃれな椅子はいかが？」といったメッセージと共に、椅子の画像を広告ＡＤ１として表示する。また、広告ＡＤ１には、広告に係る店舗のウェブコンテンツや、広告に係る商品を販売するウェブコンテンツ等といったランディングコンテンツへのリンクが設定されている。このため、利用者端末１００は、利用者ＵがＡＤ１を選択した場合は、ランディングコンテンツを取得し、表示することとなる。
【００３７】
なお、情報提供装置１０は、配信情報を示すメッセージと、選択した情報である広告ＡＤ１とを異なるタイミングで配信してもよい。また、利用者端末１００は、配信情報を示すメッセージと、選択した情報である広告ＡＤ１とを異なるタイミングで表示してもよい。例えば、利用者端末１００は、ＳＭＳの表示外面には、配信情報を示すメッセージのみを表示し、配信情報を示すメッセージを表示したタイミングとは異なる任意のタイミングで、任意のアプリケーションを実行した際の画面上に広告ＡＤ１を表示してもよい。
【００３８】
また、情報提供装置１０は、利用者Ｕに対して選択した広告ＡＤ１を示す情報を、所定の広告配信サーバに通知する。このような場合、広告配信サーバは、利用者Ｕが利用者端末１００等を用いて所定のウェブコンテンツを閲覧する際に、広告ＡＤ１を配信してもよい。また、情報提供装置１０は、利用者Ｕの配送に関する傾向を広告配信サーバに通知してもよい。このような場合、広告配信サーバは、利用者Ｕがウェブコンテンツ等を閲覧する際に、通知された傾向に基づいて、配信対象となる広告を選択してもよい。
【００３９】
また、情報提供装置１０は、選択した広告ＡＤ１を、利用者Ｕがウェブコンテンツ等を閲覧する際に配信してもよい。また、情報提供装置１０は、広告ＡＤ１を、任意のアプリケーションを用いたプッシュ配信で配信してもよい。
【００４０】
〔１−３．選択基準の一例〕
ここで、情報提供装置１０は、配送情報から特定することができる情報に基づいて、利用者Ｕに対して配信する広告を選択するのであれば、任意の情報に基づいて、広告の選択を行ってもよい。より具体的には、情報提供装置１０は、配送情報が特定することができる情報に基づいて、配送物の宛先となる利用者の電子商取引に関する行動（例えば、購入品目、購入頻度、購入日時等）の傾向を推定し、推定した傾向に基づく広告の選択をおこなってもよい。また、情報提供装置１０は、配送情報の履歴を用いて、広告の選択を行ってもよい。
【００４１】
例えば、情報提供装置１０は、同一の識別情報を含む配送情報の履歴に基づいて、識別情報が示す配送先に対して提供する情報を選択してもよい。より具体的には、情報提供装置１０は、配送情報の履歴から、宛先となる利用者Ｕの氏名や電話番号が同じ配送情報を特定し、特定した配送情報が示す配達日時、発送日時、品目、配送元等の傾向を特定する。そして、情報提供装置１０は、特定した傾向に基づいて、広告の選択を行ってもよい。
【００４２】
より具体的な例を挙げると、情報提供装置１０は、配送品の配送元に関する配送元情報を含む配送情報を取得し、配送情報に含まれる配送元情報に基づいて、配送先と対応する利用者に対して提供する情報を選択してもよい。例えば、情報提供装置１０は、利用者Ｕが所定の電子商店街や店舗を頻繁に利用している場合は、その電子商店街や店舗に関連する広告を選択してもよく、異なる電子商店街や店舗に関連する広告を選択してもよい。
【００４３】
また、配送情報の通知と共に広告を提供する場合、電子商店街の利用頻度が所定の閾値を超える利用者Ｕは、広告を閲覧する可能性が高いと考えられる。そこで、情報提供装置１０は、識別情報が識別する配信先に対して配送が行われた回数に応じて、識別情報が示す配送先に対して提供する情報を選択してもよい。例えば、情報提供装置１０は、所定の期間内（例えば、直近１か月以内）に配送された配送品の配送情報の中から、電話番号が共通する配送情報の数を計数する。また、情報提供装置１０は、電話番号と宛先となる利用者Ｕの氏名との組が同一となる配送情報の数を計数してもよい。また、情報提供装置１０は、配送先の住所が同一となる配送情報の数を計数してもよい。そして、情報提供装置１０は、計数した配送情報の数が所定の閾値を超える場合は、広告の選択および配信を行い、計数した配送情報の数が所定の閾値を下回る場合は、広告の配信を行わずともよい。
【００４４】
また、ある利用者Ｕに対する配送品の配達日時に所定のパターンが含まれる場合、利用者Ｕの行動を推定することができる。例えば、利用者Ｕが指定した配達日時が、水曜日の日中に集中している場合、利用者Ｕの休日が水曜日であり、利用者Ｕが水曜日の日中に配送先にいる可能性が高いと推定される。そこで、情報提供装置１０は、配送品の配達日時を示す日時情報を含む配送情報を取得し、配送情報に含まれる日時情報に基づいて、配送先に対して提供する情報を選択してもよい。例えば、情報提供装置１０は、利用者Ｕを宛先とする配送品、若しくは、利用者Ｕと対応する配送先に配送される配送品のうち、利用者Ｕによって水曜日の日中が配達日時に設定された配送品の割合が所定の閾値を超える場合は、利用者Ｕの利用者端末１００に対し、水曜日の日中に利用可能なクーポンや、水曜日の日中に営業している店舗の広告等を配信してもよい。
【００４５】
また、配送品の大きさは、利用者Ｕが戸建てに居住しているか、ワンルームに居住しているか、家族と同居しているか否か等、利用者Ｕの生活態様の指標となりえる。そこで、情報提供装置１０は、配送品の大きさを示すサイズ情報を含む配送情報を取得し、配送情報に含まれるサイズ情報に基づいて、配送先に対して提供する情報を選択してもよい。例えば、情報提供装置１０は、配送品の大きさが所定の閾値を超える場合は、戸建てに居住している、あるいは、家族と同居していると推定し、戸建てに居住する利用者に対する広告や、家族と同居している利用者に対する広告等を選択してもよい。
【００４６】
また、利用者Ｕを宛先とする配送品の配送元の地域が共通する場合、その地域の商品は、利用者Ｕの好みを反映させていると推定される。また、配送品の配送先の地域は、利用者Ｕが所在する地域であると推定される。そこで、情報提供装置１０は、配送品の配送元または配送先を示す地域情報を取得し、取得した地域情報に基づいて、配送先に対して提供する情報を選択してもよい。例えば、情報提供装置１０は、配送品の配送元が属する地域、または配送品の配送先が属する地域と関連する広告を選択してもよい。
【００４７】
なお、利用者Ｕが利用する電子商店街によっては、配送情報に配送対象となる商品の品目を示す品目情報が含まれる場合がある。そこで情報提供装置１０は、配送情報に含まれる品目情報に基づいて、配送先と対応する利用者に対して提供する情報を選択してもよい。例えば、情報提供装置１０は、利用者Ｕが机を購入した場合、机の配送に関する配送情報を通知するとともに、机に関連する商品（例えば、椅子）の広告を配信してもよい。
【００４８】
〔１−４．設定処理の一例〕
なお、情報提供装置１０は、配送の効率化を図るため、配送先が同一となる複数の配送品の配達日時が、同じ日時（例えば、同じ日の同じ時間帯等）に設定された場合は、利用者Ｕに対して所定の報酬を設定してもよい。すなわち、情報提供装置１０は、配送先が同一となる複数の配送品の配達日時を同一の日時にまとめるまとめ配送の設定が行われた場合は、インセンティブとして、まとめ配送を設定した利用者Ｕに対し、所定の報酬を設定する。
【００４９】
例えば、利用者端末１００は、利用者ＵがメッセージＭ２、Ｍ３を選択し、配達日時の設定を行った場合は、新たに設定された配達日時を情報提供装置１０へと送信することで、配送情報を変更する（ステップＳ７）。このような場合、情報提供装置１０は、変更後の配送情報を配送業者ＤＣへと通知する（ステップＳ８）。すなわち、情報提供装置１０は、利用者Ｕが設定したまとめ配送の日時を、利用者Ｕと対応する配送先に対して配送される配送品の配達日時として設定する。この結果、配達業者ＤＣは、利用者Ｕが設定したまとめ配送の日時に配送品の配達を行う（ステップＳ９）。
【００５０】
また、情報提供装置１０は、利用者Ｕがまとめ配送の設定を行ったことに対する所定の報酬を設定する（ステップＳ１０）。例えば、情報提供装置１０は、利用者Ｕが配送情報を変更したことにより、利用者Ｕと対応する配送先に配送される複数の配送品の配送日時が、同じ日時に設定されたか否かを判定する。そして、情報提供装置１０は、利用者Ｕと対応する配送先に配送される複数の配送品の配送日時が、同じ日時に設定された場合は、利用者Ｕに対して、所定の報酬を設定する。例えば、情報提供装置１０は、各種ポイントの設定、商品の配送に関する配送料や商品代金の割引、各種クーポンの設定等、利用者Ｕに対する各種インセンティブの設定を行う。この結果、情報提供装置１０は、利用者Ｕに対し、まとめ配送を設定する動機づけを与えることができるので、配送の効率化を図ることができる。
【００５１】
〔１−５．報酬の原資について〕
ここで、情報提供装置１０は、上述した配信処理により広告を配信することで、広告主から広告配信に対する報酬を取得することができる。そこで、情報提供装置１０は、上述したまとめ配送の設定に対する報酬の原資として、広告配信に対する報酬を用いてもよい。すなわち、情報提供装置１０は、同じ配送先に対して配送される複数の荷物の配達日時が同じ日時に設定されたされた場合は、選択された情報の配信に対する報酬を原資として、配送先と対応する利用者に対する所定の報酬を設定してもよい。
【００５２】
〔１−６．配送先について〕
ここで、情報提供装置１０は、配送品の配送先と対応する利用者であれば、任意の利用者に対して上述した各種の通知や配信を行ってよく、まとめ配送の設定を受付けてもよい。また、情報提供装置１０は、ある配送先に配送される配送品の配送情報に基づいて選択された情報を、その配送先と対応する複数の利用者（例えば、配送先となる住宅に同居する家族）に対して配信してもよい。すなわち、情報提供装置１０は、配送情報に基づいて選択された情報を、その配送情報が示す配送先と対応する利用者に対して配信するのであれば、その配送情報が示す宛先となる利用者以外にも、任意の利用者に対して情報を配信してよい。
【００５３】
〔１−７．配信対象について〕
ここで、上述した説明では、情報提供装置１０は、配送情報に基づいて選択された広告を、配送情報が示す配送先と対応する利用者に対して提供した。しかしながら、実施形態は、これに限定されるものではない。すなわち、情報提供装置１０は、配送情報に基づいて選択された情報を、配送情報が示す宛先や配送先と関連する利用者に対して提供するのであれば、任意の情報を配信してよい。例えば、情報提供装置１０は、配送情報に基づいて選択されたクーポン、セールの通知、チラシ、新規開店店舗の情報、天気予報等、各種任意の情報を配信してよい。
【００５４】
〔２．情報提供装置の構成〕
以下、上記した情報提供装置１０が有する機能構成の一例について説明する。図２は、実施形態に係る情報提供装置の構成例を示す図である。図２に示すように、情報提供装置１０は、通信部２０、記憶部３０、および制御部４０を有する。
【００５５】
通信部２０は、例えば、ＮＩＣ（Network  Interface  Card）等によって実現される。そして、通信部２０は、ネットワークＮと有線または無線で接続され、利用者端末１００、販売業者サーバ２００、および配送業者サーバ３００との間で情報の送受信を行う。
【００５６】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、電話番号情報データベース３１、配送情報データベース３２、および広告データベース３３を記憶する。
【００５７】
電話番号情報データベース３１は、通信事業者から利用者に付与される電話番号に関する情報を記憶する。ここで、図３に、実施形態に係る電話番号情報データベース３１の一例を示す。図３は、実施形態に係る電話番号情報データベースの一例を示す図である。図３に示した例では、電話番号情報データベース３１は、「電話番号」、「契約通信事業者」、「端末ＩＤ」、「ユーザＩＤ」、「属性情報」、「契約情報」といった項目を有する。
【００５８】
「電話番号」は、通信事業者から各利用者端末１００に付与される電話番号を示す。図３では、電話番号を「Ｘ０１」のように概念的に表記しているが、実際には、電話番号の項目には、電話番号を示す数値が記憶される。「契約通信事業者」は、利用者と契約し、電話番号を発行している通信事業者（いわゆる通信キャリア会社等）を示す。
【００５９】
「端末ＩＤ」は、利用者が利用する利用者端末１００を識別する識別情報である。端末ＩＤは、例えば、利用者端末１００の固有の識別情報（デバイスＩＤ等）である。通信事業者や情報提供装置１０は、端末ＩＤを用いて、利用者端末１００を一意に識別することが可能である。なお、端末ＩＤとして登録される情報には、端末の機種情報等が含まれてもよい。
【００６０】
「ユーザＩＤ」は、利用者を識別する識別情報である。なお、本明細書中では、図３に示したような識別情報を参照符号として用いる場合がある。例えば、ユーザＩＤ「Ｕ」によって識別される利用者を「利用者Ｕ」と表記する場合がある。
【００６１】
「属性情報」は、利用者の属性情報を示す。属性情報とは、例えば、利用者の性別や年齢、居住地の住所等である。図３では、属性情報を「Ｂ０１」のように概念的に表記しているが、実際には、属性情報の項目には、具体的な利用者の属性情報が記憶される。なお、情報提供装置１０は、利用者の属性情報を販売業者サーバ２００や配送業者サーバ３００から取得してもよいし、通信事業者から取得してもよい。また、利用者の属性情報には、利用者の職業や勤務先、年収等の情報が含まれてもよい。
【００６２】
「契約情報」は、利用者と通信事業者との契約に関する情報を示す。契約情報には、例えば、利用者の契約期間（すなわち、電話番号が有効である期間）や、利用者とともに家族契約している利用者である家族利用者を識別する識別情報や、利用者と家族利用者とが同居しているか否かといった情報が含まれる。図３では、契約情報を「Ｃ０１」のように概念的に表記しているが、実際には、契約情報の項目には、上記した具体的な契約の内容が記憶される。なお、情報提供装置１０は、契約情報を各通信事業者から取得してもよい。
【００６３】
すなわち、図３に示したデータの一例は、電話番号「Ｘ０１」は、契約通信事業者「Ｙ社」から発行されたことを示している。また、電話番号Ｘ０１に対応付けられた利用者端末１００は、端末ＩＤ「Ａ０１」で識別され、その端末の所有者は、ユーザＩＤ「Ｕ０１」で識別される利用者Ｕであること示している。また、利用者Ｕの属性情報は「Ｂ０１」であり、利用者Ｕの契約情報は「Ｃ０１」であることを示している。
【００６４】
図２に戻り、配送情報データベース３２は、配送情報に関する各種の情報が登録される。図４に、実施形態に係る配送情報データベース３２の一例を示す。図４は、実施形態に係る配送情報データベースの一例を示す図である。配送情報データベース３２は、個々の配送に関する情報である配送情報を記憶する。図４に示した例では、配送情報データベース３２は、「配送情報ＩＤ」、「配送業者ＩＤ」、「発送元ＩＤ」、「サービス名」、「配送先の電話番号」、「配送先情報」、「変更締め切り日時」といった項目を有する。
【００６５】
「配送情報ＩＤ」は、個々の配送を識別する識別情報を示す。なお、配送情報は、例えば、発送の依頼が行われ、配送が発生する度に配送業者によって生成される。「配送業者ＩＤ」は、配送業者を識別する識別情報を示す。
【００６６】
「発送元ＩＤ」は、発送を依頼する発送元を識別する識別情報を示す。「サービス名」は、発送元に対応するサービス名を示す。例えば、サービス名は、Ｅコマースサイト等の名称である。
【００６７】
「配送先の電話番号」は、配送先の電話番号を示す。「配送先情報」は、配送先の情報や、配送先に配送品を配送する予定日時等を示す。「変更締め切り日時」は、配送先から配達日時や配送予定場所の変更を受け付けることのできる期限となる日時を示す。変更締め切り日時は、例えば、配送情報を生成した配送業者が指定を行うことにより設定される。
【００６８】
すなわち、図４に示したデータの一例では、配送情報ＩＤ「Ｆ０１」で識別される配送情報Ｆ０１は、配送業者ＩＤ「Ｇ０１」で識別される配送業者から発行されたものであることを示している。また、配送情報Ｆ０１は、発送元ＩＤ「Ｈ０１」で識別される発送元Ｈ０１から依頼された配送に関するものであり、発送元Ｈ０１の提供するサービスのサービス名は「ＡＡＡ」であることを示している。また、配送情報Ｆ０１における、配送先の電話番号は「Ｘ０１」であり、配送先情報として、配送先の「住所」や「氏名」や「配達日時」が登録されていることを示している。また、配送情報Ｆ０１において、配送日時や配送場所の変更を受け付ける期限となる変更締め切り日時は「２０１７年４月５日  １０：００」であることを示している。
【００６９】
図２に戻り、広告データベース３３には、各利用者に対して設定された報酬に関する情報が登録される。図５に、実施形態に係る広告データベース３３の一例を示す。図５は、実施形態に係る広告データベースの一例を示す図である。図５に示した例では、広告データベース３３は、「広告ＩＤ」、「広告コンテンツ」、「ターゲット情報」、「インプレッション数」、「インプレッション保証数」、「ＣＴＲ（Click  Through  Rate）」といった項目を有する。
【００７０】
「広告ＩＤ」は、広告を識別するための識別情報を示す。「広告コンテンツ」は、広告主から入稿されたコンテンツのデータであり、広告として配信される静止画像、動画像、テキスト等の各種コンテンツやランディングページのＵＲＬ（Uniform  Resource  Locator）を示す。また、「ターゲット情報」は、対応付けられた「広告ＩＤ」が示す広告の配信先の各種条件を示す情報である。例えば、「ターゲット情報」は、対応付けられた「広告ＩＤ」が示す広告の配信先となる利用者のデモグラフィック属性やバイオグラフィック属性、利用者と関連する配送情報がどのような傾向を有する際に配信される広告であるかを示す情報である。なお、このような「ターゲット情報」は、「広告コンテンツ」の登録時に、広告主が任意に設定可能であってもよい。「インプレッション数」は、広告コンテンツが表示された回数を示す。また、「インプレッション保証数」は、所定の対価に対して保証されている広告コンテンツの表示回数を示す。また、「ＣＴＲ」は、広告コンテンツのＣＴＲを示す。
【００７１】
例えば、図５に示す情報は、広告ＩＤ「広告＃１」によって識別される広告が広告コンテンツ「広告コンテンツ＃１」であり、ターゲット情報「ターゲット情報＃１」が示す利用者に対して配信される広告である旨を示す。また、図５に示す情報は、広告ＩＤ「広告＃１」によって識別される広告のインプレッション数が「３０００」であり、インプレッション保証数が「１００００」であり、ＣＴＲが「ＣＴＲ＃１」である旨を示す。
【００７２】
なお、図５に示す例では、「広告＃１」、「広告コンテンツ＃１」、「ターゲット情報＃１」、「ＣＴＲ＃１」等といった概念的な値を記載したが、実際には、広告を識別する文字列、広告として配信されるコンテンツのデータ、広告の配信先を示す各種の情報、ＣＴＲの数値等が登録される。
【００７３】
図２に戻って説明を続ける。制御部４０は、例えば、コントローラ（controller）であり、ＣＰＵ（Central  Processing  Unit）やＭＰＵ（Micro  Processing  Unit）等によって、情報提供装置１０内部の記憶装置に記憶されている各種プログラム（通知プログラムの一例に相当）がＲＡＭを作業領域として実行されることにより実現される。また、制御部４０は、コントローラであり、例えば、ＡＳＩＣ（Application  Specific  Integrated  Circuit）やＦＰＧＡ（Field  Programmable  Gate  Array）等の集積回路により実現される。
【００７４】
図２に示すように、制御部４０は、取得部４１と、特定部４２と、選択部４３と、配信部４４と、日時設定部４５と、報酬設定部４６とを有し、以下に説明する情報処理の機能や作用を実現または実行する。なお、制御部４０の内部構成は、図２に示した構成に限られず、後述する情報処理を行う構成であれば他の構成であってもよい。また、制御部４０が有する各処理部の接続関係は、図２に示した接続関係に限られず、他の接続関係であってもよい。
【００７５】
取得部４１は、各種情報を取得する。例えば、取得部４１は、配送品を配送する配送業者から、当該配送品の配送に関する配送情報、及び、配送先を識別するための識別情報を取得する。
【００７６】
例えば、取得部４１は、識別情報として、利用者から発送元に対して送信される注文情報に含まれる情報であって、各発送元（すなわち、各サービス）に対して共通して送信される識別情報を取得する。具体的には、取得部４１は、識別情報として、配送先である利用者の電話番号を取得する。すなわち、取得部４１は、配送情報として、配送先が使用する端末装置の電話番号であって、配送先が配送品を発注した際に発送元に通知した電話番号を取得する。
【００７７】
また、取得部４１は、通信事業者から、電話番号と利用者とを対応付ける情報である電話番号情報を取得可能な場合には、かかる情報を取得する。
【００７８】
また、取得部４１は、配送情報として、配送品の発送元、配送品が配送される予定日時、及び配送品が配送される場所に関する情報の少なくともいずれか一つを取得する。例えば、取得部４１は、配送業者サーバ３００から取得した配送情報に含まれる情報に基づいて、配送品の発送元等の情報を取得する。
【００７９】
また、取得部４１は、配送品の配送元に関する配送元情報を含む配送情報を取得する。また、取得部４１は、配送品の配達日時を示す日時情報を含む配送情報を取得する。また、取得部４１は、配送品の大きさを示すサイズ情報を含む配送情報を取得する。また、取得部４１は、配送品の配送元または配送先の地域を示す地域情報を取得する。また、取得部４１は、配送業者、または、配送品を発送した発送者から、配送品の品目を示す品目情報を取得する。これら配送元情報、日時情報、サイズ情報、地域情報、品目情報は、配送元が配送業者ＤＣに配送を依頼する際に、入力もしくは配送伝票に記入される情報であり、取得部４１は、これら情報を含む配送情報を取得すればよい。また、取得部４１は、品目情報を、販売業者サーバ２００から取得してもよい。
【００８０】
特定部４２は、配送業者以外の者が保持する情報であって、識別情報と所定の対象とを対応付ける情報である対応付け情報を参照して、取得部４１によって取得された識別情報に対応する対象を特定する。
【００８１】
例えば、特定部４２は、識別情報として配送先である利用者の電話番号が取得された場合には、対象として、電話番号に対応する利用者端末１００を特定する。
【００８２】
より具体的には、特定部４２は、利用者が契約する通信事業者が保持する対応付け情報を参照して、電話番号に対応する利用者端末１００を特定する。なお、特定部４２は、電話番号情報データベース３１に格納された対応付け情報（電話番号情報）を参照してもよいし、特定処理の度に通信事業者にアクセスして、対応付け情報を参照してもよい。取得部４１は、利用者が契約する通信事業者が保持する対応付け情報を取得して電話番号情報データベース３１に格納しているため、いずれの場合も、特定部４２は、利用者が契約する通信事業者が保持する対応付け情報を参照することになる。
【００８３】
なお、特定部４２は、対応付け情報を参照して、配送先と関連する対象である関連対象を特定してもよい。具体的には、特定部４２は、関連対象として、配送先である利用者の家族、又は、当該利用者と同居する関係者（友人やパートナー等）が利用する利用者端末１００を特定する。例えば、特定部４２は、電話番号情報データベース３１内を参照し、利用者と通信事業者との契約情報に基づいて、利用者の関連対象を特定する。
【００８４】
選択部４３は、配送情報に基づいて、配送先に対して提供する情報を選択する。より具体的には、選択部４３は、同一の識別情報と共に取得した配送情報の履歴に基づいて、識別情報が示す配送先に対して提供する情報を選択する。例えば、選択部４３は、配送情報に含まれる配送元情報に基づいて、配送先に対して提供する情報を選択してもよい。また、選択部４３は、識別情報が識別する配信先に対して配送が行われた回数に応じて、識別情報が示す配送先に対して提供する情報を選択してもよい。
【００８５】
また、選択部４３は、配送情報に含まれる日時情報に基づいて、配送先に対して提供する情報を選択してもよい。また、選択部４３は、配送情報に含まれるサイズ情報に基づいて、配送先に対して提供する情報を選択してもよい。また、選択部４３は、配送情報に含まれる地域情報に基づいて、配送先に対して提供する情報を選択してもよい。また、選択部４３は、取得部４１により取得された配送情報に含まれる品目情報、若しくは、配送元となる販売業者サーバ２００から取得した品目情報に基づいて、配送先に対して提供する情報を選択してもよい。
【００８６】
例えば、選択部４３は、特定部４２により利用者端末１００が特定された場合は、利用者端末１００を利用する利用者Ｕと関連する配送情報を配送情報データベース３２から抽出する。例えば、選択部４３は、利用者Ｕを宛先とする配送情報、利用者端末１００の電話番号と同一の電話番号を識別情報とする配送情報等を抽出する。そして、選択部４３は、抽出した配送情報が示す配送品目、配達日時、配送元や配送先の住所等の傾向を特定し、ターゲット情報が示す傾向が、配送情報から特定した傾向を一致又は類似する広告を選択する。
【００８７】
配信部４４は、選択された情報と、配送情報とを識別情報が識別する配送先に配信する。例えば、配信部４４は、利用者端末１００が特定された場合には、特定された利用者端末１００に配送情報と、選択部４３により選択された広告とを配信する。例えば、配信部４４は、配送情報を含むメッセージＭ１、各配送品の配達日時の変更を受付けるためのコンテンツ、若しくは、そのコンテンツへのリンクが設定されたメッセージＭ２、Ｍ３、および、選択された広告ＡＤ０１を配信する。
【００８８】
なお、配信部４４は、取得部４１が取得した配送情報の全てを通知することを要しない。例えば、配信部４４は、配送品の発送元、配送品が配送される予定日時、及び配送品が配送される場所に関する情報の少なくともいずれか一つを通知する。具体的には、配信部４４は、所定の定型文ファイル等に、上記の発送元等の情報を埋め込むことにより、配送情報を記載したメッセージを生成する。そして、配信部４４は、生成したメッセージを送信可能な態様で利用者端末１００に通知を行う。具体的には、配信部４４は、ＳＭＳを利用してメッセージを送信することにより、利用者端末１００に配送情報を通知する。
【００８９】
また、配信部４４は、通知を受信した利用者端末１００において、利用者が種々の要求を返信可能な態様で通知を行ってもよい。例えば、配信部４４は、配達日時や、配送先となる場所等の変更要求を利用者が返信できるような態様で通知を行う。
【００９０】
また、配信部４４は、配送先と関連する対象である関連対象が特定された場合には、特定部４２によって特定された関連対象に、取得部４１によって取得された配送情報を通知してもよい。具体的には、配信部４４は、配送先である利用者の家族、又は、利用者と同居する関係者が利用する利用者端末１００に配送情報を通知してもよい。
【００９１】
日時設定部４５は、配送品の配達日時を、その配送先と対応する利用者Ｕから受付けた日時に設定する。例えば、日時設定部４５は、利用者Ｕが利用者端末１００に表示されたメッセージＭ２、Ｍ３を選択した場合は、選択したメッセージと対応する配送物の配達日時を設定するためのコンテンツを利用者端末１００へと配信する。そして、日時設定部４５は、利用者Ｕによって設定された配達日時を受付けた場合は、配送情報データベース３２に登録された情報のうち、配達日時の設定対象となる荷物の配達日時を変更するとともに、配送業者サーバ３００に対して、配達日時の設定を行った配送物の配送情報ＩＤと変更後の配達日時とを通知する。
【００９２】
報酬設定部４６は、同じ配送先に対して配送される複数の荷物の配達日時が同じ日時に設定された場合は、選択部４３によって選択された情報の配信に対する報酬を原資として、配送先に対する所定の報酬を設定する。例えば、報酬設定部４６は、配送情報データベース３２を参照し、同じ配送先に対して配送される複数の配送品の配達日時が同じになるように、各配送品の配達日時の設定が行われたか否かを判定する。
【００９３】
そして、報酬設定部４６は、配送先が同じ配送物の配達日時が同じ配達日時に設定された場合は、まとめ配送の対象となった配送物の配送先と対応する利用者Ｕに対して、所定の報酬を設定する。例えば、報酬設定部４６は、配信部４４によって広告が配信されたことにより生じる報酬を原資として、利用者に各種ポイントの付与等を行う。なお、報酬設定部４６によって設定された報酬は、例えば、報酬設定部４６が各種ポイントを管理するポイント管理サーバ（図示は、省略）等に報酬ポイントの通知を行うことなどにより、利用者Ｕに対して提供されることとなる。
【００９４】
〔３．処理手順〕
次に、図６を用いて、実施形態に係る情報提供装置１０による配信処理の手順について説明する。図６は、実施形態に係る配信処理の流れの一例を示すフローチャートである。図６に示すように、情報提供装置１０は、通知対象となる新たな配送情報が存在するか否かを判定し（ステップＳ１０１）、存在しない場合は（ステップＳ１０１：Ｎｏ）、再度ステップＳ１０１を実行する。一方、情報提供装置１０は、通知対象となる新たな配送情報が存在する場合は（ステップＳ１０１：Ｙｅｓ）、その配送情報に基づいて、配送先と対応する利用者Ｕに提供する広告を選択する（ステップＳ１０２）。
【００９５】
続いて、情報提供装置１０は、配送の旨を示すメッセージ、すなわち、配送情報を含むメッセージを利用者Ｕに提供する（ステップＳ１０３）。そして、情報提供装置１０は、選択した広告を配信し（ステップＳ１０４）、処理を終了する。
【００９６】
〔４．変形例〕
上述した情報提供装置１０は、上記実施形態以外にも種々の異なる形態にて実施されてよい。そこで、以下では、情報提供装置１０の他の実施形態について説明する。
【００９７】
〔４−１．識別情報の種別〕
上記実施形態では、情報提供装置１０が、電話番号と利用者端末１００との対応付け情報に基づいて利用者端末１００を特定する例を説明した。ここで、識別情報は、電話番号に限られない。すなわち、識別情報は、注文情報に含まれる情報であって、商品等の注文において各サービスに対して共通して送信される情報であり、かつ、対象を特定することが可能な情報であれば、電話番号以外の情報であってもよい。
【００９８】
例えば、情報提供装置１０は、利用者端末１００のデバイスＩＤや、メールアドレス等を識別情報として用いてもよい。例えば、通信事業者は、利用者端末１００のデバイスＩＤや、利用者端末１００に付与されるメールアドレスと、利用者との対応付け情報を保持する。このため、情報提供装置１０は、通信事業者に保持された対応付け情報を参照することにより、デバイスＩＤやメールアドレスによって、利用者端末１００を一意に特定することができる。この場合、利用者端末１００から各販売業者サーバ２００に送信される注文情報には、利用者端末１００のデバイスＩＤや、メールアドレスが含まれる。
【００９９】
あるいは、情報提供装置１０は、所定の通信アプリ等で用いられるアカウント等を識別情報として用いてもよい。この場合、アカウントと利用者端末１００との対応付け情報は、例えば、当該所定の通信アプリを提供するサービス事業者によって保持される。情報提供装置１０は、かかるサービス事業者が管理するサーバ等にアクセスするか、あるいは、かかるサービス事業者からの提供を受けて、対応付け情報を参照する。
【０１００】
このように、情報提供装置１０は、電話番号以外の識別情報を用いても、上記実施形態で説明した通知処理を行うことができる。すなわち、情報提供装置１０は、利用者端末１００から販売業者サーバ２００に送信される種々の情報を用いて通知処理を行うことができるため、処理に柔軟性を持たせることができる。
【０１０１】
〔４−２．家族について〕
ここで、情報提供装置１０は、同一の配送先を居在地とする複数の利用者が存在する場合、ある配送情報において宛先となる利用者によらず、その配送情報に基づいて選択された広告を、その配送情報における配送先を居住地とする複数の利用者に対して配信してもよい。例えば、情報提供装置１０は、家族関係を有する利用者等、同一の住居に居住する第１利用者と第２利用者が存在し、第１利用者宛ての配送品に関する配送情報に基づいて広告を選択し、選択した広告を第１利用者および第２利用者に配信してもよい。
【０１０２】
〔４−３．その他〕
また、上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１０３】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１０４】
また、上記してきた各実施形態は、処理内容を矛盾させない範囲で適宜組み合わせることが可能である。
【０１０５】
〔４−４．プログラム〕
また、上述した実施形態に係る情報提供装置１０および利用者端末１００は、例えば図７に示すような構成のコンピュータ１０００によって実現される。図７は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【０１０６】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ（Hard  Disk  Drive）、フラッシュメモリ等により実現される。
【０１０７】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【０１０８】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【０１０９】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【０１１０】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【０１１１】
例えば、コンピュータ１０００が情報提供装置１０として機能する場合、コンピュータ１０００の演算装置１０３０は、一次記憶装置１０４０上にロードされたプログラムを実行することにより、制御部４０の機能を実現する。
【０１１２】
〔５．効果〕
上述してきたように、情報提供装置１０は、配送品を配送する配送業者ＤＣから、その配送品の配送に関する配送情報と、配送先を識別するための識別情報とを取得する。また、情報提供装置１０は、取得された配送情報に基づいて、配送先に対して提供する情報を選択する。そして、情報提供装置１０は、選択された情報と、配送情報とを識別情報が識別する配送先に配信する。このため、情報提供装置１０は、配送先となる利用者が視認しやすい形で、配送に基づいて選択された情報を配信することができるので、情報の訴求効果を向上させることができる。
【０１１３】
また、情報提供装置１０は、配送業者ＤＣ以外の者が保持する情報であって、識別情報とその識別情報が識別する配送先が使用する利用者端末１００とを対応付けた対応情報を参照し、取得された識別情報に対応付けられた利用者端末１００を特定する。そして、情報提供装置１０は、特定された利用者端末１００に対して、選択された情報と、配送情報とを配信する。このため、情報提供装置１０は、ある配送品の配送において、配送先となる利用者Ｕが使用する利用者端末１００に対し、各種の配送情報と、その配送情報に基づいて選択された情報を配信することができるので、情報の訴求効果を向上させることができる。
【０１１４】
また、情報提供装置１０は、例えば、識別情報として、配送先が使用する利用者端末１００の電話番号であって、配送先が配送品を発注した際に発送元に通知した電話番号を取得する。このため、情報提供装置１０は、配送先となる利用者Ｕが使用する利用者端末１００に対し、配信情報と、配送情報に基づいて選択された情報とを配信することができる。
【０１１５】
また、例えば、情報提供装置１０は、選択された情報を、配送情報と、その配送情報の変更を受付けるためのコンテンツを示す情報とともに配信する。このため、情報提供装置１０は、より利用者が情報を閲覧する可能性を高くするので、情報の訴求効果を向上させることができる。
【０１１６】
また、情報提供装置１０は、例えば、同一の識別情報と共に取得部が取得した配送情報の履歴に基づいて、その識別情報が示す配送先に対して提供する情報を選択する。また、例えば、情報提供装置１０は、配送品の配送元に関する配送元情報を含む配送情報を取得し、配送情報に含まれる配送元情報に基づいて、配送先に対して提供する情報を選択する。また、例えば、情報提供装置１０は、識別情報が識別する配信先に対して配送が行われた回数に応じて、その識別情報が示す配送先に対して提供する情報を選択する。また、例えば、情報提供装置１０は、配送品の配達日時を示す日時情報を含む配送情報を取得し、配送情報に含まれる日時情報に基づいて、配送先に対して提供する情報を選択する。また、例えば、情報提供装置１０は、配送品の大きさを示すサイズ情報を含む配送情報を取得し、配送情報に含まれるサイズ情報に基づいて、配送先に対して提供する情報を選択する。また、例えば、情報提供装置１０は、配送品の配送元または配送先の地域を示す地域情報を取得し、配送情報に含まれる地域情報に基づいて、配送先に対して提供する情報を選択する。また、例えば、情報提供装置１０は、配送業者、または、配送品を発送した発送者から、その配送品の品目を示す品目情報を取得し、品目情報に基づいて、配送先に対して提供する情報を選択する。
【０１１７】
このように、情報提供装置１０は、配送品の配送に関する各種の配送情報に基づいて、配送先に対して提供する広告等の情報を選択する。このため、情報提供装置１０は、配送先となる利用者が興味を示す可能性がより高い情報を配信することができる結果、情報の訴求効果を向上させることができる。
【０１１８】
また、情報提供装置１０は、同じ配送先に対して配送される複数の荷物の配達日時が同じ日時に設定されたされた場合は、選択部により選択された情報の配信に対する報酬を原資として、配送先に対する所定の報酬を設定する。このため、情報提供装置１０は、広告等の配信に伴う報酬を原資として、まとめ配送を設定した利用者に報酬を提供することができるので、コストの増大を防ぎつつ、配送の効率化を図ることができる。
【０１１９】
以上、本願の実施形態を図面に基づいて詳細に説明したが、これは例示であり、発明の開示の欄に記載の態様を始めとして、当業者の知識に基づいて種々の変形、改良を施した他の形態で本発明を実施することが可能である。
【０１２０】
また、上述してきた「部（section、module、unit）」は、「手段」や「回路」などに読み替えることができる。例えば、取得部は、取得手段や取得回路に読み替えることができる。
【符号の説明】
【０１２１】
１０  情報提供装置
２０  通信部
３０  記憶部
３１  電話番号情報データベース
３２  配送情報データベース
３３  広告データベース
４０  制御部
４１  取得部
４２  特定部
４３  選択部
４４  配信部
４５  日時設定部
４６  報酬設定部
１００  利用者端末
２００  販売業者サーバ
３００  配送業者サーバ
【図１】
2018195207.tif 000003
【図２】
2018195207.tif 000004
【図３】
2018195207.tif 000005
【図４】
2018195207.tif 000006
【図５】
2018195207.tif 000007
【図６】
2018195207.tif 000008
【図７】
2018195207.tif 000009